(57)【要約】【課題】マッサージ効果が高く、上下方向のみならず周方向の血行の促進効果が大きく、畝の跡が付き難いインナー・ウェアを提供する。【解決手段】編地からなるインナー・ウェアの内面に、内方に突出する畝が形成されており、該畝は実質的に編地のコース方向に延在する直線状の畝１１と、該直線状畝に接し且つ直線状畝を挟んで向い合った２つの波状の畝１２、１３との組合せからなる複合畝１０であり、該複合畝が多数本形成された複合畝領域Ａが設けられている。【選択図】        図４
2004204411.tif 000002
【特許請求の範囲】
【請求項１】
編地からなるインナー・ウェアの内面に、内方に突出する畝が形成されており、該畝は実質的に編地のコース方向に延在する直線状の畝と、該直線状畝に接し且つ直線状畝を挟んで向い合った２つの波状の畝との組合せからなる複合畝であり、該複合畝が多数本形成された複合畝領域が設けられていることを特徴とするインナー・ウェア。
【請求項２】
隣接する複合畝は波状畝における波の半波長分ずれて配置されていることを特徴とする請求項１記載のインナー・ウェア。
【請求項３】
前記複合畝の直線状畝および波状畝は少なくとも４コース以上ウエルトループが形成された浮き編が１ないし５ウェールの間隔を開けて編成されることにより形成され、直線状畝から離れた波状畝の部分と直線状畝との間に平編部が設けられていることを特徴とする請求項１または２記載のインナー・ウェア。
【請求項４】
前記浮き編において保持ループに弾性糸が使用されていることを特徴とする請求項３記載のインナー・ウェア。
【請求項５】
前記複合畝において、直線状畝の方が波状畝よりも畝の高さが高いことを特徴とする請求項１〜４の何れか１項に記載のインナー・ウェア。
【請求項６】
直線状畝と波状畝とが接する部分の高さが他の部分よりも高いことを特徴とする請求項１〜５の何れか１項に記載のインナー・ウェア。
【請求項７】
前記インナー・ウェアが上衣であり、それの腹部に前記複合畝領域が設けられていることを特徴とする請求項１〜６の何れか１項に記載のインナー・ウェア。
【請求項８】
前記インナー・ウェアが袖付きの上衣であり、それの上腕部に前記複合畝領域が設けられていることを特徴とする請求項１〜７の何れか１項に記載のインナー・ウェア。
【請求項９】
前記インナー・ウェアがパンツ部を有するものであり、それの大腿部および足の付け根付近の腹部に前記複合畝領域が設けられていることを特徴とする請求項１〜８の何れか１項に記載のインナー・ウェア。
【請求項１０】
前記インナー・ウェアが靴下であり、少なくともふくらはぎ部に前記複合畝領域が設けられていることを特徴とする請求項１〜６の何れか１項に記載のインナー・ウェア。
【請求項１１】
香料と共にラズベリーケトンまたはラズベリーケトングルコシドの少なくとも一種が付着されていることを特徴とする請求項１〜１０の何れか１項に記載のインナー・ウェア。
【発明の詳細な説明】
【０００１】
【発明の属する技術分野】
本発明はインナー・ウェアに関するものである。本発明におけるインナー・ウェアは身体にフィットさせた状態で着用するものであり、例えば、パンツ部を有するインナー（ガードル、スパッツ、タイツ、パンティストッキング等）、上衣用インナー（タンクトップ、肌着、スリップ、チューブ・トップ、オール・イン・ワン等）、サポータ、腹巻、靴下（ソックス、ハイソックス、オーバーニー等）である。
【０００２】
【従来の技術】
インナー・ウェアは肌に直接つけて衛生を保つ、体形を整える、表着との間に着て滑りをよくする、保温する等の機能の何れかを有するものであるが、最近では身体にフィットさせた状態で着用するインナー・ウェアが多用されている。このような身体にフィットさせた状態で着用するインナー・ウェアには、伸縮性の大きい編地が少なくともフィットさせたい部分に使用されている。
【０００３】
身体にフィットさせた状態で着用するインナー・ウェアでは、着圧を変化させることにより血液の還流を促したり、フィットさせた部位にマッサージ効果、リラックス効果等をもたらすことが従来から提案されている。
【０００４】
例えば、靴下の各部分における着圧（締付け力）を変化させることにより、足の血行を促すことが提案されている。具体的には、例えば、特許文献１（特許第２８２２０９０号公報）、特許文献２（特開平８−１９９４０４号公報）および特許文献３（特開２００１−１４０１０４号公報）においては、足から大腿部に至るまでの靴下による着圧を徐々に低くすることにより静脈からの血の還流を促すことが提案されている。
【０００５】
これらの特許文献１〜３に開示されているものは、何れも着圧の変化は編成時における糸の給糸量を調整することにより、土踏まず、足首部、ふくらはぎ部、大腿部において徐々に着圧が低くなるように設計されている。
【０００６】
また、特許文献４（特開平１１−１５２６０７号公報）には、ガードルに包まれた体の部位（臀部、尻および腿を包む領域）が平メッシュの編み面に対して浮き上がった波形を有するタックステッチメッシュによって形成されているタイツ用ガードルが提案されている。このガードルは、着用中の骨盤の運動により、隆起した波形領域が皮膚に対して摩擦を生じ、これによりマッサージ効果、爽快効果やリラックス効果を生じさせるものである。
【０００７】
前記特許文献４の発明を改良したものとして、特許文献５（特開２００１−３３６００１号公報）には、タック編による波形隆起部を複数本づつ群として、タック編部群とタック編部群との間に平編地を配設することが提案されている。タック編部群の間に平編地を介在させることによりマッサージ効果、爽快効果やリラックス効果をより高めようとするものである。
【０００８】
更に、特許文献６（特開２００２−１４６６５４号公報）には、タイツ、ガードル、靴下等に適用する編物として、略円形状、略方形状、略三角形状等の突起部を浮き編により形成し、この突起部を千鳥模様状または市松模様状に設けた編物が提案されている。この編物は肌に接する裏面側に突起部があって、マッサージ作用、滑止作用を奏するものである。
【０００９】
また、本願出願人は先に特許文献７（特願２００２−１３８８８２号）において、靴下の内面に周方向に延在する畝が多数本形成されており、この畝を直線状またはジグザグ状に浮き編により形成することを提案した。この靴下はマッサージ効果が高く、しかも、タック編を用いていないので編目が開いたメッシュ状とならないものである。
【００１０】
【特許文献１】
特許第２８２２０９０号公報
【特許文献２】
特開平８−１９９４０４号公報
【特許文献３】
特開２００１−１４０１０４号公報
【特許文献４】
特開平１１−１５２６０７号公報
【特許文献５】
特開２００１−３３６００１号公報
【特許文献６】
特開２００２−１４６６５４号公報
【特許文献７】
特願２００２−１３８８８２号。
【００１１】
【発明が解決しようとする課題】
しかし、特許文献１〜３等に開示された従来の技術のように、単に着圧を変化させただけでは静脈における血液の還流が不充分であり、充分な血行を得ることが困難であった。
【００１２】
特許文献４、５に開示された従来の技術のように、タック編により隆起部を形成したものではマッサージ効果はあまり高くなく、しかもタック編した部分の編目が大きくなってしまい編目が開いたメッシュ状となり、ファッション性が損なわれる。
【００１３】
また、特許文献６に開示された従来の技術のように、略円形状等の突起部を浮き編により形成し、この突起部を千鳥模様状または市松模様状に設けた編物においては、突起部によるマッサージ効果はあまり高くない。
【００１４】
本願出願人が先に提案した特許文献７の発明による靴下においては、浮き編による畝を直線またはジグザグ状に周方向に延在させているので、下から上への血行の促進効果は充分に得られた。しかし、周方向（横方向）への血行の促進効果は下から上への血行の促進効果ほど大きくはなかった。
【００１５】
靴下の場合は、特にふくらはぎ部においては下から上への血行の促進が重要であるが、大腿部、腹部、ウエスト部、上腕部等においては、上下方向のみならず周方向の血行の促進が望まれる。
【００１６】
本発明はこのような問題に鑑みて、マッサージ効果が高く、上下方向のみならず周方向の血行の促進効果が大きく、また着用後に着用者の皮膚に畝の跡がくっきりとは付き難いインナー・ウェアを提供することを目的とする。
【００１７】
更に、本発明はマッサージ効果のみならず、アロマテラピー効果とダイエット効果を期待できるインナー・ウェアを提供することを目的とする。
【００１８】
【課題を解決するための手段】
本発明は、編地からなるインナー・ウェアの内面に、内方に突出する畝が形成されており、該畝は実質的に編地のコース方向に延在する直線状の畝と、該直線状畝に接し且つ直線状畝を挟んで向い合った２つの波状の畝との組合せからなる複合畝であり、該複合畝が多数本形成された複合畝領域が設けられていることを特徴とするインナー・ウェアにより前記目的を達成する。
【００１９】
更に詳しくは、複合畝の直線状畝および波状畝は少なくとも４コース以上ウエルトループが形成された浮き編が１ないし５ウェールの間隔を開けて編成されることにより形成され、直線状畝から離れた波状畝の部分と直線状畝との間に平編部が設けられている。
【００２０】
また、隣接する複合畝は波状畝における波の半波長分ずれて配置されている。このように配置することにより、複合畝を密に配置することができる。
【００２１】
複合畝の浮き編において保持ループに弾性糸を使用することが好ましい。また、複合畝において、各直線状畝と波状畝との畝の高さは同じでもよいが、直線状畝の高さを波状畝の高さよりも高くしたり、或いは逆に波状畝の方を直線状畝よりも高くしたり、直線状畝と波状畝とが接する部分の高さが他の部分よりも高くしたりすることができる。なお、畝の高さは１つの浮き編におけるウエルトループの数を多くし、このような浮き編を１ないし５ウェールの間隔を開けて編成することにより高くできる。
【００２２】
本発明のインナー・ウェアが上衣である場合は、それの腹部や上腕部に前記複合畝領域が設けられていることが好ましい。
【００２３】
また、本発明のインナー・ウェアがパンツ部を有するインナー（ガードル、スパッツ、タイツ、パンティストッキング等）である場合は、それの大腿部および足の付け根付近の腹部に前記複合畝領域が設けられていることが好ましい。
【００２４】
本発明のインナー・ウェアが靴下である場合は、少なくともふくらはぎ部に前記複合畝領域が設けられていることが好ましい。
【００２５】
更に、本発明のインナー・ウェアには、香料と共にラズベリーケトンまたはラズベリーケトングルコシドの少なくとも一種が付着されていることが好ましい。
【００２６】
【発明の実施の形態】
以下、本発明の実施の形態を図面に基いて説明する。図１は本発明のインナー・ウェアの一実施例を示すものであり、この図１に示したインナー・ウェアは袖を有する上衣であり、図１（ａ）は前側の概略図を示し、図１（ｂ）は後側の概略図を示している。
【００２７】
この図１において、複合畝領域Ａ（すなわち腹部および袖部）において本発明の特徴とする複合畝１０（図４、図５参照）が多数本形成されている。符号Ｂ１、Ｂ２で示すその他の領域においては複合畝は形成されていない。この実施例では領域Ｂ１はゴム編で編成され、領域Ｂ２は平編で編成されている。このように胸部領域Ｂ２を平編とすると、インナー・ウェアの着用時に胸を圧迫することがないので好ましく、胸部領域Ｂ２の直ぐ下方の領域Ｂ１をゴム編とすることにより、身体によくフィットする。
【００２８】
なお、前述した実施例では複合畝領域Ａでないその他の領域の編組織をゴム編と平編を例示しているが、本発明においては、複合畝領域Ａでないその他の領域の編組織は特に限定されず、任意の編組織を使用できる。
【００２９】
図２および図３は、それぞれ図１において腹部および袖部に形成される複合畝領域Ａをインナー・ウェアの内面側から見た編地の平面図を示しており、図２は未着用時の状態であり、図３は図２に示す矢印Ｓ方向に編地を伸張した状態を示すものである。図４は図２に示した複合畝領域Ａにおける複合畝１０を模式的に表した拡大平面図であり、図５は図３に示した複合畝領域Ａにおける複合畝１０を模式的に表した拡大平面図である。図６は図５におけるＶＩ−ＶＩ線に沿った断面を模式的に表した断面図である。
【００３０】
図４および図５に示すように、１つの複合畝１０はコース方向に延在する直線状の畝１１と、この直線状畝１１に接し且つ直線状畝１１を挟んで向い合った２つの波状の畝１２、１３との組合せからなる。これらの畝１１、１２、１３はインナー・ウェアの内面、すなわち着用者の肌に接する側に突出しており、インナー・ウェアの表側から見ると、その表面は略平坦である。
【００３１】
直線状畝１１と波状畝１２、１３の接し方は、図２〜図５に図示した実施例では波状畝１２の谷部と波状畝１３の山部が直線状畝１１に完全に一体化した状態で接しているが、これに限定されない。例えば、図７に示すように、波状畝１２の谷部と波状畝１３の山部が直線状畝１１に僅かに接した状態でもよい。更には、波状畝１２の谷部または波状畝１３の山部と直線状畝１１との間に２コース以下の平編が編成される場合でも、実質的に接した状態となる。
【００３２】
また、互いに隣接する複合畝１０、１０′は波状畝１２、１３における波の半波長分ずれて配置されている。このようにすると隣接する複合畝１０と複合畝１０′が図２〜図５に示すように、密に配置することができる。同じ位相で複合畝１０、１０′を配置した場合は、複合畝１０の波状畝１３の谷部と複合畝１０′の波状畝１２の山部が一致するので、複合畝１０と複合畝１０′の間隔が大きくなり、複合畝１０の波状畝１３の山部と複合畝１０′の波状畝１２の谷部との間に比較的広い平坦部が形成される。このため、図示した実施例のように隣接する複合畝１０と複合畝１０′を半波長分ずらして複合畝を密に配置した方がマッサージ効果、血行促進効果が大きいので好ましい。
【００３３】
図５に示すように、隣接する複合畝１０、１０′の間には波状の平坦部２０が形成されており、また直線状畝１１と波状畝１２の山部との間および直線状畝１１と波状畝１３の谷部との間には小さな平坦部２１が形成されている。
【００３４】
図２〜図５に示すように、直線状畝１１は完全に真っ直ぐではなく、僅かに太くなったり、細くなったりしている。また、この実施例では直線状畝１１の方が波状畝１２、１３よりも太い。畝が太いと畝の高さも高くなり、図５に示した状態の複合畝では、図６に示すように、直線状畝１１の平坦部２１に挟まれた部分１１ａよりも波状畝１２、１３との交差部１１ｂの方が畝の高さが高い。そして、波状畝１２、１３の方が直線状畝１１の部分１１ａよりも低い。なお、図６においては各畝が突出している側がインナー・ウェアにおける内面側であり、平坦な側がインナー・ウェアの表側である。
【００３５】
また、複合畝１０において、各直線状畝１１と波状畝１２、１３との畝の高さは同じでもよいが、直線状畝１１の高さを波状畝１２、１３の高さよりも高くしたり、或いは逆に波状畝１２、１３の方を直線状畝１１よりも高くしたり、直線状畝１１と波状畝１２、１３とが接する部分１１ｂの高さが他の部分１１ａよりも高くしたりすることができる。なお、畝の高さは１つの浮き編におけるウエルトループの数を多くし、このような浮き編を１ないし５ウェールの間隔を開けて編成することにより高くできる。
【００３６】
また、本発明においては、波状畝１２、１３の波長や波の高さは特に限定されないが、好ましくは図２に示すような未着用状態で、波長は０．５ｃｍ〜５ｃｍ程度であり、隣接する直線状畝１１の間隔が０．３ｃｍ〜３ｃｍ程度である。
【００３７】
図２〜図６に示した本発明の一実施例においては、複合畝１０の直線状畝１１および波状畝１２、１３は少なくとも４コース以上ウエルトループが形成された浮き編が１ないし５ウェールの間隔を開けて編成されることにより形成され、直線状畝１１から離れた波状畝１２、１３の部分と直線状畝１１との間に平編部２１が設けられている。そして隣接する複合畝１０の間には平編部２０が設けられている。
【００３８】
図８は本発明における複合畝１０を形成するための編組織図の一例を示したものであり、この編組織により図２に示した編地が編成される。図８において太枠で囲った部分が１リピートである。また、図８において□で囲った部分Ｃを拡大した編み目図を図９に示している。図１０は図８に示した編組織の一部を編み目で表した編組織図である。
【００３９】
図９および図１０において、符号Ｙ１は浮き編が編成される際に保持ループ３１を形成する糸を表し、符号Ｙ２は保持ループ３１を形成しない糸を示している。糸Ｙ１、Ｙ２の糸使いは特に限定されず、弾性糸（例えば、ポリウレタン糸を芯糸とし、これにナイロン糸をカバリングしたもの）、ウーリーナイロン糸、弾性糸とウーリーナイロン糸とを組合せたもの、その他の糸等を使用でき、インナー・ウェアの用途に合わせて適宜選定すればよい。
【００４０】
本発明のインナー・ウェアにおいては、弾性糸を使用することが好ましく、例えば、浮き編の保持ループ３１を形成する糸Ｙ１として弾性糸とウーリーナイロン糸との２本使いで、糸Ｙ２として弾性糸１本を用いる。このように弾性糸を使用すると、他の編み目や編成状態に悪影響を与えることなく、多数のコースを浮き編とすることができる。しかも、できあがったインナー・ウェアにおいて弾性糸が充分に伸縮できるので、畝が平坦になるまで伸びることができる。そのため、弾性糸を使用せずに浮き編により畝を形成した場合や従来のように畝が全くないものに比べて、身体への締め付け感がなく、しかも身体に良くフィットする。
【００４１】
例えば、図１に示した上衣の複合畝領域Ａにおいて、保持ループ３１を形成する糸Ｙ１には４０デニールのポリウレタン糸を、７０デニール／６８フィラメントのナイロン糸でカバリングしたＦＴＹ（フィラメントツイストヤーン…弾性糸の一種）と、７０デニール／３４フィラメントのウーリーナイロン糸をプレーティングしたものを用い、他方、保持ループ３１を形成しない糸Ｙ２には前記ＦＴＹを単独で使用する。
【００４２】
なお、複合畝領域Ａを編成する糸としては前述したようにＦＴＹを使用すると伸縮性に富むので好ましいが、その他の領域Ｂを編成する糸としてはインナー・ウェアにおけるその領域の目的に合わせて適宜選定すればよい。図１に示したインナー・ウェアにおける胸部領域Ｂ２はきつく締めつけ過ぎないようにするため、例えば、２０デニールのポリウレタン糸を、７０デニール／６８フィラメントのナイロン糸でカバリングしたＦＴＹを使用する。
【００４３】
直線状畝１１、波状畝１２、１３の形成は、糸Ｙ１を保持ループ３１として浮き編３０を形成することにより行なうことができる。図８〜図１０に示した実施例において、編成時に浮き編３０を行なうウェールと通常の平編を行なうウェールとの比は１：１である。すなわち、浮き編３０は１ウェールの間隔を開けて形成されている。
【００４４】
浮き編３０は糸Ｙ１によって編み目を保持した編み針が編成中にウエルト位置（不作動位置）をとり、編み目を保持したままとすることにより形成される。この保持するコース数は図８および図１０では編む箇所によって異なり９、１３、１７、２１または２５コースであり、図９に示した箇所では９コースである。この保持するコース数（例えば図９では９コース）を編む最中は浮き編３０の保持ループ３１となる編み目を保持した編み針はウエルト位置（不作動位置）に保たれたままであって、編成作動を行なわず、その間に供給される糸は図９に示すように、編み目を形成せず、ウエルトループ３２となって、裏側に飛んだ状態となっている。このように、糸Ｙ１を保持ループ３１として浮き編３０とすることにより、浮き編３０と浮き編３０との間の平編部分および浮き編３０のウエルトループ３２が内面側に突出した状態となり、畝１１および畝１２を形成する。
【００４５】
図８において×の部分は浮き編を行なうことを示しており、すなわち、編成時に編み針が不作動位置にあり、編み針の編成運動が行なわれず、その箇所がウエルトループとなる。×のない部分は普通の平編を編む部分を示している。図８の実施例では、９〜２５コース飛ばしの浮き編３０を１ウェール置きに設けるものである。
【００４６】
浮き編３０を開始する位置を２コースずつ右上がりにずらしながら、飛ばすココース数が同じ浮き編３０を連続的に配置することにより右上がりの畝部が形成され、浮き編３０を開始する位置を２コースずつ右下がりにずらしながら、飛ばすコース数が同じ浮き編３０を連続的に配置することにより右下がりの畝部が形成される。このように右上がりの畝部、右下がりの畝部および水平な畝部を連続的に形成することにより波状畝１２、１３を編成することができる。図８および図１０に示すように、この実施例では波状畝１２および波状畝１３は９コース飛ばしの浮き編３０を、開始する位置を２コースずつずらしながら１ウェール置きに設けることにより形成されている。
【００４７】
浮き編３０を開始する位置がずれていない場合、或いは浮き編３０を開始する位置がずれていても、飛ばすコース数が異なっていて、しかも飛ばすコースの中心（浮き編の中心）がコース方向にほぼ一直線上に位置する場合は、浮き編３０によってコース方向に延びる直線状の畝１１が形成される。
【００４８】
図８および図１０に示したこの実施例では、波状畝１２、１３を形成する一連の浮き編に挟まれた箇所（図４では符号１１ａで示した箇所）では９コース飛ばしの浮き編、１３コース飛ばしの浮き編、１７コース飛ばしの浮き編が３つ、１３コース飛ばしの浮き編、９コース飛ばしの浮き編と順次配置されている。これらの浮き編は中心が一直線上に位置し、コース方向に延びる直線状の畝１１が形成される。また、直線状畝１１と波状畝１２、１３の交差部（図４では符号１１ｂで示した箇所）では２５コース飛ばしの浮き編、２１コース飛ばしの浮き編、１７コース飛ばしの浮き編、９コース飛ばしの浮き編、１７コース飛ばしの浮き編、２１コース飛ばし２５コース飛ばしの浮き編と順次配置されている。これらの浮き編の中心もコース方向に一直線上に位置しているので、コース方向に延びる直線状畝１１の部分１１ｂが形成される。部分１１ｂの浮き編の方が部分１１ａの浮き編より飛ばすコース数が多いので、畝の高さが高いものとなる。
【００４９】
図８および図１０に示したこの実施例では、隣接する複合畝１０の波状畝１２と波状畝１３との間にはウェール方向に５コース分の平編がコース方向に連続して波状に配置されており、図４および図５で符号２０で示した平坦部を形成している。また、波状畝１２、１３を形成する一連の浮き編と直線状畝１１の部分１１ａとの間にはウェール方向に３コース分の平編がコース方向に連続して配置されており、図４および図５で符号２１で示した平坦部を形成している。
【００５０】
図８および図１０に示した実施例では浮き編３０が主として１ウェールの間隔を開けて編成されているが、この浮き編３０を行なう間隔は１〜５ウェールの間隔を開けて編成してもよい。なお、直線状畝１１の部分１１ａと部分１１ｂの接続箇所では３ウェールの間隔を開けている。また、前述したものでは浮き編３０の開始位置を２コースずつ順次ずらせているが、このずらし方は１〜５コースずつずらすようにすることができる。
【００５１】
本発明における複合畝１０は、前述した図８〜図１０に示したものに限られるものではない。直線状畝１１および波状畝１２、１３を形成するための浮き編３０は４コース以上であれば３０コース飛ばし等の長いものでもよい。また、畝の高さおよび太さは浮き編の飛ばすコース数により変わり、飛ばすコース数が多い、すなわち、長い浮き編の場合は畝が高くなり、飛ばすコース数が少なければ畝は低くなる。
【００５２】
図１１は本発明のインナー・ウェア１の別の実施例であり、このインナー・ウェア１はタンクトップであり、図１１（ａ）は前側、図１１（ｂ）は後側を示している。このインナー・ウェアにおいては符号Ａで示した腹部，ウエスト部の領域およびその背部の領域は本発明の複合畝１０を多数本密接して設けた複合畝領域Ａを有する編地で形成されている。その他の部分Ｂは任意の編組織により編成されている。
【００５３】
図１２は本発明のインナー・ウェア１の更に別の実施例であり、このインナー・ウェア１はチューブトップであり、図１２（ａ）は前側、図１２（ｂ）は後側を示している。このインナー・ウェアにおいては符号Ａで示した腹部，ウエスト部の領域およびその背部の領域は本発明の複合畝１０を多数本密接して設けた複合畝領域Ａを有する編地で形成されている。その他の部分Ｂは任意の編組織により編成されている。
【００５４】
図１３には本発明を実施したガードルが示されている。この実施例においては大腿部および足の付け根付近の腹部に本発明の複合畝領域Ａが設けられている。また、図１３（ａ）において、符号Ｂ３で示した腹部の中央部は締め付け力のある編組織によって編成される。図１３（ｂ）において、符号Ｂ５で示した左右のヒップ部は締め付け力の弱い編組織によって編成される。
【００５５】
図１４は本発明のインナー・ウェア１の別の実施例であり、このインナー・ウェア１は靴下（サポータ）である。この靴下はハイソックスの形状であるが、部分１ａには爪先がなく、また部分１ｂは開口しており、着用時に踵が出るようになっている。底部１ａおよびふくらはぎを覆う部分１ｃは本発明の複合畝１０を多数本密接して設けた複合畝領域Ａを有する編地で形成されている。この図示した実施例では、すね側の部分１ｄはその他の領域Ｂであり、任意の編組織により編成される。なお、図示した実施例では複合畝領域Ａを靴下の一部にしか適用していないが、靴下全体に本発明の複合畝を設けてもよい。
【００５６】
更に、本発明によれば、前述した複合畝領域によるマッサージ効果のみならず、アロマテラピー効果とダイエット効果を期待できるインナー・ウェアを提供する。そのために、前述したインナー・ウェアに香料と共にラズベリーケトンまたはラズベリーケトングルコシドの少なくとも一種を付着させる。
【００５７】
ラズベリーケトンが脂肪細胞における脂肪分解酵素と脂肪との親和性を高め、脂肪分解を促進する脂肪分解促進剤として機能することは知られている。しかし、ラズベリーケトンまたはラズベリーケトングルコシドは、香りの良いものではない。そのため、本発明ではいやし効果のある香料を併用した。これにより、アロマテラピー効果（精神の覚醒、沈静効果等）を得ることができ、更に、ラズベリーケトンまたはラズベリーケトングルコシドの脂肪分解促進効果を安定して得ることも可能となった。インナー・ウェアへのラズベリーケトンまたはラズベリーケトングルコシドの付着量は、インナー・ウェアの重量に対して０．００５〜５重量％が適当である。
【００５８】
香料としては、アロマテラピー効果を発するもの、例えばシス−３一へキサン−１−アル、イラリア、γ−ウンデカラクトン、酢酸、酢酸エチル、アミルプロピオネート、フェニルエチルアルコール、ゲラニオール、バニリン等を使用することが好ましい。
なお、香料の使用量は、その種類及び目的により異なるが、ラズベリーケトンまたはラズベリーケトングルコシドの１〜５０倍程度使用するのがよい。
【００５９】
ラズベリーケトンまたはラズベリーケトングルコシドは香料と共に、下記のような形態で繊維に付着させることができる。
１）ＩＮ  ＳＩＴＥ重合法や界面重合法などの公知の方法によって、ラズベリーケトンまたはラズベリーケトングルコシドと香料を内包した有機マイクロカプセルを製造して、バイダーとともに繊維に塗布する。
２）多孔質シリカ等の無機微小球体にラズベリーケトンまたはラズベリーケトングルコシドを香料と共に吸着させて、無機マイクロカプセル化して、バイダーとともに繊維に塗布する。
３）サイクロデキストリン等にラズベリーケトンまたはラズベリーケトングルコシドと香料を内包させてバインダーとともに繊維に塗布する。
４）樹脂またはバインダー内部に充填させて繊維に塗布する。
５）カチオン性のべシクル構造体の油層部に封入し、バインダーとともに繊維に塗布する。。
【００６０】
ラズベリーケトンまたはラズベリーケトングルコシドと香料を含む処理液によるインナー・ウェアの加工条件は特に限定されないが、代表的な方法を掲げると次の通りである。
（１）パッド法：処理液をインナー・ウェアにパッディング後、２〜４ｋｇ／ｃｍ２で絞り、１２０〜１３０℃×２〜３分の乾燥。
（２）浸漬法：４０℃、ｐＨ４〜５の処理液にインナー・ウェアを約３０分浸漬、脱液後、１２０〜１３０℃×２〜３分の乾燥。
（３）スプレー法：処理液をインナー・ウェアにスプレー塗布後、１２０〜１３０℃×２〜３分の乾燥。
【００６１】
ラズベリーケトンまたはラズベリーケトングルコシドを含む処理液に使用するバインダーは、シリコン系、ウレタン系、酢酸ビニル系、アクリル系、塩化ビニル系、フェノール系などの樹脂、加工澱粉などの糊剤など繊維処理剤として公知のものであれば特に限定されないが、ゴム状皮膜を形成するシリコン系やウレタン系などの樹脂が耐久性および圧力緩衝性の点で好ましい。
【００６２】
【発明の効果】
本発明によるインナー・ウェアにおいては複合畝がインナー・ウェアの内面において内方に突出しているものであり、このため、着用者の肌に対して適宜な圧力を与えてマッサージする作用があり、血行促進効果がある。そして、直線状畝および波状畝とを組合わせた複合畝であるので、血行は上下方向のみならず周方向にも促進される。従って、足の付け根部のようにリンパ液も流れている部分では特に血行およびリンパ液の流れがよくなり、身体の僅かな動きや呼吸等によってもマッサージ効果が得られる。
【００６３】
また、インナー・ウェアの腹部領域を本発明の複合畝を密に多数本設けた複合畝領域とすることにより、着用者の腹部の周りの血行促進が行なわれるとともに、身体の引き締め効果が奏される。また、インナー・ウェアの上腕部に本発明の複合畝領域を形成した編地とすることにより、着用者の上腕部の引き締め効果とマッサージ効果が発揮できる。
【００６４】
本発明によれば、インナー・ウェアの内面に突出した畝を編地のコース方向に延在する直線状の畝と、この直線状畝に接し且つ直線状畝を挟んで向い合った２つの波状の畝との組合せからなる複合畝としているので、畝が単独で設けられている場合に比較して、皮膚への当たりが柔らかく、従って、本発明のインナー・ウェアを長時間着用しても、皮膚に畝の跡がくっきりとは付き難い。また、畝の跡が付いても直ぐに消える。
【００６５】
本発明によるインナー・ウェアの複合畝領域においては、複合畝が多数本連続的に配置され、隣接する複合畝の間に凹部（平坦部）が形成され、また直線状畝と波状畝の間にも凹部（平坦部）が形成されているので、個々の凹部に空気を溜め込むことができ、保温性に優れている。
【００６６】
本発明によれば、インナー・ウェアに香料と共にラズベリーケトンまたはラズベリーケトングルコシドの少なくとも一種を付着させているので、このようなインナー・ウェアを着用すると、マッサージ効果のみならず、アロマテラピー効果と共に、ダイエット効果が得られる。
【図面の簡単な説明】
【図１】本発明のインナー・ウェアの一実施例を示すものであり、この図１に示したインナー・ウェアは袖を有する上衣であり、図１（ａ）は前側の概略図を示し、図１（ｂ）は後側の概略図を示している。
【図２】図１において腹部および袖部に形成される複合畝領域Ａをインナー・ウェアの内面側から見た編地の平面図を示しており、未着用時の状態である。
【図３】図１において腹部および袖部に形成される複合畝領域Ａをインナー・ウェアの内面側から見た編地の平面図を示しており、図２に示す矢印Ｓ方向に編地を伸張した状態を示すものである。
【図４】図２に示した複合畝領域Ａにおける複合畝１０を模式的に表した拡大平面図である。
【図５】図３に示した複合畝領域Ａにおける複合畝１０を模式的に表した拡大平面図である。
【図６】図５におけるＶＩ−ＶＩ線に沿った断面を模式的に表した断面図である。
【図７】別の実施例における複合畝領域Ａにおける複合畝１０を図５と同様に模式的に表した拡大平面図である。
【図８】本発明における複合畝を形成するための編組織図の一例である。
【図９】図８において□で囲った部分を拡大して示した編み目図である。
【図１０】図８に示した編組織を編み目で表した編組織図である。
【図１１】本発明のインナー・ウェアの別の実施例の概略図であり、（ａ）は前側、（ｂ）は後側を示している。
【図１２】本発明のインナー・ウェアの更に別の実施例の概略図であり、（ａ）は前側、（ｂ）は後側を示している。
【図１３】本発明のインナー・ウェアの別の実施例の概略図であり、（ａ）は前側、（ｂ）は後側を示している。
【図１４】本発明のインナー・ウェアのまた別の実施例の概略図である。
【符号の説明】
Ａ  複合畝領域
Ｂ  複合畝領域以外の部分
１  インナー・ウェア
１０、１０′  複合畝
１１  直線状畝
１２、１３  波状畝
１１ｂ  交差部
３０  浮き編
３１  保持ループ
３２  ウエルトループ
Ｙ１  保持ループを形成する糸
Ｙ２  保持ループを形成しない糸
【図１】
2004204411.tif 000003
【図２】
2004204411.tif 000004
【図３】
2004204411.tif 000005
【図４】
2004204411.tif 000006
【図５】
2004204411.tif 000007
【図６】
2004204411.tif 000008
【図７】
2004204411.tif 000009
【図８】
2004204411.tif 000010
【図９】
2004204411.tif 000011
【図１０】
2004204411.tif 000012
【図１１】
2004204411.tif 000013
【図１２】
2004204411.tif 000014
【図１３】
2004204411.tif 000015
【図１４】
2004204411.tif 000016